(57)【要約】      （修正有）【課題】集塵室に流入する空気にガラス片や小石或いは砂等の比較的大きな塵埃が含まれていても、この塵埃がネットフィルタに損傷を与えることのない電気掃除機を提供すること。【解決手段】塵埃が含まれる空気を集塵容器本体の集塵室３４の一端側に流入させる流入口（流入筒部４５ａ）が設けられ、前記流入口４５ａから前記集塵室３４へ流入する空気の流入方向を設定するガイド風路が設けられていると共に、電動送風機の吸込開口に連通する空気排出口が前記集塵室３４の他端に設けられ、前記空気排出口にネットフィルタ３８ｃが設けられている。しかも、前記ガイド風路の前記集塵室３４への気流出口４７は、前記ネットフィルタ３８ｃに近接し且つ前記気流出口４７から吹き出される空気が前記ネットフィルタ３８ｃに沿う方向に流れるように向けられている。【選択図】図１９
2008136670.tif 000002
【特許請求の範囲】
【請求項１】
電動送風機を備えた掃除機本体と、前記電動送風機の上流側に設けられた集塵容器とを具備した電気掃除機であって、
前記集塵容器は、塵埃が含まれる空気が流入する流入口と、前記流入口から流入した塵埃を溜める集塵室と、前記集塵室の底面に設けられ、前記電動送風機の吸込開口に連通する空気排出口と、前記空気排出口に設けられた薄板状のフィルタと、ガイド風路を有し前記流入口から流入した塵埃を含んだ空気を一端部より前記集塵室内に案内する気流ガイド部とを備え、
前記気流ガイド部は、他端部が前記薄板状のフィルタに接触または近接して設けられ、この下流側端部には吹き出された空気が前記薄板状のフィルタに沿う方向に流れるように気流出口が開口されたことを特徴とする電気掃除機。
【請求項２】
請求項１に記載の電気掃除機において、前記気流ガイド部は前記薄板状のフィルタと略垂直な方向に延びる流入パイプ部及び該流入パイプ部から前記薄板状のフィルタに沿う方向に折曲させられて前記気流出口を開口した気流出口パイプ部を備えていると共に、前記気流出口パイプ部の外面は前記薄板状のフィルタに接触又は近接させられ、前記流入パイプ部の外面とこれに近接する前記集塵室の内周面との間の隙間への空気の流れを阻止する閉塞部が前記流入パイプ部の外面と前記集塵室の内周面との間に設けられていることを特徴とする電気掃除機。
【請求項３】
請求項２に記載の電気掃除機において、前記気流出口パイプ部は、前記薄板状のフィルタと対向するとともに前記薄板状のフィルタと接触又は近接する部分から前記薄板状のフィルタに対して離反する方向に傾斜する傾斜外面が設けられていることを特徴とする電気掃除機。
【発明の詳細な説明】
【技術分野】
【０００１】
この発明は、集塵室の空気出口に薄板状のフィルタが設けられた集塵容器を備える電気掃除機に関するものである。
【背景技術】
【０００２】
従来の電気掃除機には、電気掃除機の掃除機本体に集塵容器を着脱可能に取り付けると共に、掃除機本体に設けた電動送風機の吸込負圧を集塵容器の集塵室を介して吸込口体に作用させるようにした電気掃除機がある。
【０００３】
そして、この集塵容器は、集塵室の上部に空気の導入口を設け、集塵室の底部に排気口を設け、この排気口にネットフィルタを設けて、電動送風機の吸込負圧をネットフィルタを介して集塵室に作用させている（例えば、特許文献１参照）。
【特許文献１】特開２００５−３１２６６５
【発明の開示】
【発明が解決しようとする課題】
【０００４】
しかしながら、集塵室に流入する空気にガラス片や小石或いは砂等の比較的大きな塵埃が含まれているような場合、この塵埃がネットフィルタに突き刺さるように衝突したりして、ネットフィルタを損傷する虞がある。
【０００５】
そこで、この発明は、集塵室に流入する空気にガラス片や小石或いは砂等の比較的大きな塵埃が含まれていても、この塵埃がネットフィルタに損傷を与えることのない電気掃除機を提供することを目的とするものである。
【課題を解決するための手段】
【０００６】
この目的を達成するため、この発明は、電動送風機を備えた掃除機本体と、前記電動送風機の上流側に設けられた集塵容器とを具備した電気掃除機であって、前記集塵容器は、塵埃が含まれる空気が流入する流入口と、前記流入口から流入した塵埃を溜める集塵室と、前記集塵室の底面に設けられ、前記電動送風機の吸込開口に連通する空気排出口と、前記空気排出口に設けられた薄板状のフィルタと、ガイド風路を有し前記流入口から流入した塵埃を含んだ空気を一端部より前記集塵室内に案内する気流ガイド部とを備え、前記気流ガイド部は、他端部が前記薄板状のフィルタに接触または近接して設けられ、この下流側端部には吹き出された空気が前記薄板状のフィルタに沿う方向に流れるように気流出口が開口されたことを特徴とする電気掃除機としたことを特徴とする。
【発明の効果】
【０００７】
この構成によれば、気流出口から集塵室内に吹き出される空気が薄板状のフィルタに沿う方向に流れるので、集塵室に流入する空気にガラス片や小石或いは砂等の比較的大きな塵埃が含まれていても、この吹き出される塵埃には薄板状のフィルタに突き刺さるような慣性力がなく、塵埃が薄板状のフィルタに損傷を与えるのを未然に防止できる。
【発明を実施するための最良の形態】
【０００８】
以下、この発明の実施の形態を図面に基づいて説明する。
[構成]
図１において、１はアップライト型（縦型）の電気掃除機の掃除機本体である。この掃除機本体１は本体ケース２を有し、この本体ケース２は前ケース３と後ケース４を有する。この前ケース３の上下方向の中間部には、図１〜図７（ａ）に示したように前側及び側方に開放する容器収納凹部５が形成されている。
【０００９】
また、この容器収納凹部５は、図４に示したように上壁５ａ，縦壁５ｂ，底壁５ｃを有する。そして、縦壁５ｂは前上縦壁部５ｂ１と、後下縦壁５ｂ２と、縦壁５ｂ１，５ｂ２を連設している段差壁５ｂ３を有する。この段差壁５ｂ３の左右方向中央部には、前後方向に延びる半円筒状の膨出突部５ｂ４が形成されている。尚、この膨出突部５ｂ４上には、図７（ｂ）に示したように前後方向に延びる半円状のパイプ係合溝５ｂ４１が形成されている。
【００１０】
更に、前上縦壁部５ｂ１には、図７（ｂ）に示したように下半分をパイプ係合溝５ｂ４１の前端部に沿わせた形状のパイプ取付孔６が形成されている。また、底壁５ｃは図４，図５，図７（ａ）に示したように前側から後下縦壁５ｂ２の下端に向かうに従って上方に傾斜させられている。この底壁５ｃには図４，図５に示したようにフィルタ枠取付孔７が形成されている。このフィルタ枠取付孔７にはフィルタ枠８が嵌合固定され、このフィルタ枠８の上端部には図４に示したように格子部８ａが形成されている。
【００１１】
そして、図４のフィルタ枠８の格子部８ａ上には図５に示した樹脂を発泡成形することにより形成したフィルタ９が着脱可能に取り付けられている。また、本体ケース２の下部内には、図６に示したように吸込開口１０を上方にして格子部８ａに臨ませた電動送風機１１が取り付けられている。
【００１２】
また、本体ケース２内には、図６に示したように、上下に延びる吸込パイプ１２が配設されている。この吸込パイプ１２は、下吸込パイプ部１３と、上吸込パイプ部１４を有する。この下吸込パイプ１３は、図６，図７（ａ），図７（ｂ）のようにパイプ係合溝５ｂ４１内に配設され且つ図７（ｂ）のように前端部がパイプ取付孔６内に配設された前後パイプ部１３ａと、図６のように前後パイプ部１３ａの後端から下方に向けて折曲された縦パイプ部１３ｂを有する。
【００１３】
この縦パイプ部１３ｂの下端部は、本体ケース２の下端部に固定されていると共に、本体ケース２の下端に開口させられている。尚、図７（ｂ）に示したように前後パイプ部１３ａの前端部とパイプ取付孔６との間にはシール部材１５が介装されている。
【００１４】
また、上吸込パイプ部１４の下端部は前後パイプ部１３ａの前端部近傍に接続されている。しかも、図６に示したように、本体ケース２の上端部中央には上端及び本体ケース２内に開口する筒部１６が形成され、本体ケース２の上前部には上端に開口するパイプ嵌合穴１７が形成されている。尚、筒部１６の下端には内方フランジ１６ａが形成されている。
【００１５】
しかも、上吸込パイプ部１４の上端部は、筒部１６に遊挿されていると共に、内方フランジ１６ａに固定されている。また、この上吸込パイプ部１４と本体ケース２とにはコードリール１８が取り付けられている。
（吸込口体）
また、本体ケース２の下方には、図１〜図３及び図６に示したように、吸込口体１９が配設されている。この吸込口体１９は、吸込口本体２０と、吸込口本体２０の後縁部に前後に起倒自在に装着された接続パイプ２１を有する。この接続パイプ２１は縦パイプ部１３ｂの下端部に着脱可能に嵌合接続されている。
【００１６】
しかも、図６に示したように吸込口本体２０内には吸込室２２が形成され、図８に示したように吸込室２２の吸込開口２２ａが吸込口本体２０の下面に開口している。この吸込室２２は吸込風路２３を介して接続パイプ２１に連通させられるようになっている。
【００１７】
また、接続パイプ２１の下端部には、図６，図８に示したように、シャッター２４が一体に取り付けられている。このシャッター２４は、接続パイプ２１を後方に傾斜させたときに吸込風路２３と接続パイプ２１を連通させ、接続パイプ２１を起立させたときに吸込風路２３と接続パイプ２１との連通を遮断するようになっている。
（手元操作パイプ）
更に、図６に示したように、上吸込パイプ部１４には集塵ホース２５の一端部が嵌着されている。この集塵ホース２５の他端部には手元操作パイプ２６が手元操作部として接続固定され、この手元操作パイプ２６には伸縮可能な延長パイプ２７が取り付けられている。この延長パイプ２７は、手元操作パイプ２６に着脱可能に接続された大径パイプ２８と、大径パイプ２８内に摺動自在に嵌合された小径パイプ２９を有する。
【００１８】
この小径パイプ２９の先端部にはスキマノズル３０が装着されている。この小径パイプ２９の先端部はパイプ嵌合穴１７内に着脱可能に嵌合されている。この状態では、手元操作パイプ２６のハンドル２６ａを掴んで吸込口体１９を前後に移動操作することができる。
【００１９】
また、小径パイプ２９をスキマノズル３０と一体にパイプ嵌合穴１７から抜き取る一方、吸込口体１９の接続パイプ２１を起立させて吸込風路２３と接続パイプ２１との連通をシャッター２４で遮断させることにより、スキマノズル３０を利用することができる。尚、２ａは本体ケース２の上端に設けられた本体持ち運び用の把手である。
（集塵容器）
上述した容器収納凹部５には、図９〜図２０に示した集塵容器３１が図１，図２，図６に示したように着脱可能に嵌合されている。この集塵容器３１は、図９〜図１３に示したような集塵容器本体３２を有する。この集塵容器本体３２は、図９，図１０に示したように上容器部３２ａと下容器部３２ｂから側面形状が略Ｌ字状に形成されている。
【００２０】
この上容器部３２ａ内には図１８に示したようにパイプ配設空間３３が形成され、下容器部３２ｂ内には下方に開口する集塵室３４が形成されている。また、上容器部３２ａの後壁３２ａ１には取付孔３５が形成され、下容器部３２ｂの上壁３２ｂ１には前後に延び且つ下方に膨出する半円筒状の膨出突部３６が形成され、この膨出突部３６の上方は前後に延びる係合溝３６ａが形成されている。この係合溝３６ａは、容器収納凹部５に集塵容器３１を図１，図２のように嵌合したときに、図４及び図７（ａ）の容器収納凹部５の膨出突部５ｂ４に係合するようになっている。
【００２１】
しかも、図１０〜図１２に示したように、下容器部３２ｂの後壁３２ｂ２には突起３７，３７が形成され、下容器部３２ｂの側壁３２ｂ３の下端部外面には前後に延びる位置規制フランジ（位置規制突部）３２ｂ４，３２ｂ４が形成されている。
＜フィルタ＞
また、集塵容器３１は、図１６〜図１８に示したように、集塵容器本体３２の下方に配設されたメインフィルタ（底蓋兼用フィルタ）３８と、このメインフィルタ３８の下方に配設された細塵フィルタ３９を有する。
【００２２】
このメインフィルタ３８は、図１７〜図２０に示したように、方形状で筒状のフィルタ枠３８ａと、フィルタ枠３８ａの集塵室３４側の端部に設けられ格子部３８ｂと、格子部３８ｂの前面に取り付けられた薄板状のフィルタとしてのネットフィルタ３８ｃを有する。しかも、図１９，図２０に示したように、フィルタ枠３８ａの後壁３８ａ１には突起４０，４０が形成されている。
【００２３】
更に、細塵フィルタ（プリーツフィルタ）３９は、図１６に示したようにフィルタ枠３８ａと同形状で端面が図１８に示したようにフィルタ枠３８ａの下端面に当接するフィルタ枠３９ａと、フィルタ枠３９ａを閉成するように設けられたプリーツフィルタ部３９ｂを有する。このプリーツフィルタ部３９ｂは、フィルタ枠３９ａの上端がフィルタ枠３８ｂの下端面に当接したときに、フィルタ枠３８ａ内に嵌合するようになっている。しかも、図１０，図１２，図１３，図１５，図１８に示したようにフィルタ枠３９ａの後壁３９ａ１には突起４１，４１が形成されている。
【００２４】
そして、図１０，図１２、図２０に示したように下容器部３２ｂの突起３７にメインフィルタ３８の突起４０をヒンジ軸４２で回動可能に取り付けることにより（ヒンジ結合することにより）、メインフィルタ３８は集塵室３４の下端を開閉可能に設けられている。しかも、図１７に示したように、メインフィルタ３８が集塵室３４の下端を閉成している状態では、メインフィルタ３８のフィルタ枠３８ａが下容器部３２ｂの両側の位置規制フランジ３２ｂ４，３２ｂ４間に係合して、メインフィルタ３８が左右にずれないようになっている。しかも、この状態では、フィルタ枠３８ａの方形状の上端面が下容器部３２ｂの方形状の下端面に全周に渡って気密に当接するようになっている。
【００２５】
また、図１０，図１２、図１５に示したように、メインフィルタ３８の突起４０に細塵フィルタ３９の突起４１をヒンジ軸４３で回動可能に取り付けることにより（ヒンジ結合することにより）、細塵フィルタ３９はメインフィルタ３８の下部に対して開閉可能に設けられている。そして、細塵フィルタ３９がメインフィルタ３８の下部を閉成している状態では、細塵フィルタ３９のプリーツフィルタ部３９ｂがメインフィルタ３８のフィルタ枠３８ａ内に嵌合すると共に、細塵フィルタ３９のフィルタ枠３９ａの方形状の上端面がフィルタ枠３８ａの方形状の下端面に全周に渡って気密に当接するようになっている。
【００２６】
また、細塵フィルタ３９のフィルタ枠３９ａの下面は、容器収納凹部５に集塵容器３１を嵌合したときに、フィルタ枠８に気密に当接するようになっている。
＜ガイド風路＞
また、集塵容器本体３２内には、図１８に示したように、気流案内用のガイド風路４４ａを設けたガイドパイプ４４が気流ガイド部として配設されている。このガイドパイプ（気流ガイド部）４４は、パイプ配設空間３３及び集塵室３４に跨って配設された流入パイプ部４５と、流入パイプ部４５に直交する方向に折曲された気流出口パイプ部４６を有する。しかも、気流出口パイプ部４６は、図１８〜図２０に示したように、集塵室３４の開口端の中央に向けて延設されている。
【００２７】
更に、流入パイプ部４５には上容器部３２ａの取付孔３５に気密に且つ着脱可能に嵌着された流入筒部４５ａが流入口として設けられている。この流入筒部４５ａは、集塵容器３１を図１，図２，図６に示したように容器収納凹部５に嵌合したときに、図７の前後パイプ部１３ａのシール部材１５に気密に押し付けられるようになっている。尚、図１８に示したように、集塵室３４がメインフィルタ３８で閉成されているときに、流入パイプ部４５はメインフィルタ３８のネットフィルタ３８ｃと略垂直に設けられている。
【００２８】
また、図２２〜図２４に示したように、気流出口パイプ部４６は、下方に湾曲する上壁４６ａと、上壁４６ａの一側部に下方に向けて連設された側壁４６ｂと、側壁４６ｂに連設された傾斜下壁４６ｃを有する。この上壁４６ａは、図１８に示したように半円筒状の膨出突部３６に係合させられている。
【００２９】
しかも、気流出口パイプ部４６は気流出口４７を有し、気流出口４７は気流出口パイプ部４６の先端に開口する先端出口４７ａ及び側面に開口する側部出口４７ｂを有する。
【００３０】
しかも、気流出口パイプ部４６の傾斜下壁４６ｃには、図２０に示したように、側部出口４７ｂからネットフィルタ３８ｃに対して離反する方向に傾斜する傾斜外面４８が形成されている。そして、図１８に示したように集塵室３４がメインフィルタ３８で閉成されている状態では、傾斜外面４８が図１９，図２０に示したように側部出口４７ｂ側の端部でネットフィルタ３８ｃに接触させられている。これにより、先端出口４７ａ及び側部出口４７ｂは、ネットフィルタ３８ｃに沿う方向に気流を吹き出すように、開口方向が向けられている。
【００３１】
しかも、集塵容器本体３２は図１８に示したようにパイプ配設空間３３及び集塵室３４に跨る前壁４９を有する。この流入パイプ部４５は、パイプ配設空間３３及び集塵室３４に跨って集塵容器本体３２内に配設されていると共に、前壁４９に近接して配設されている。この前壁４９と流入パイプ部４５の外面との間には、流入パイプ部４５の流入筒部４５ａを取付孔３５に嵌着するのに必要な狭い隙間（空間）５０ａが形成されている。
【００３２】
また、流入パイプ部４５の外面と集塵室３４の前壁４９の内面（集塵室３４の内周面）との間には、図１８に示したように集塵室３４の周方向への空気の流れを阻止する閉塞部５０が設けられている。この閉塞部５０は、前壁４９の内面に設けられたリブ５１と、流入パイプ部４５の外面に設けられたリブ５２（図２５，図２６参照）を有する。尚、リブ５１，５２は流入パイプ部４５の延びる方向に延設されている。しかも、閉塞部５０は、図２１に示したように集塵室３４の周方向への空気の流れを阻止する隙間５０ａの上流側で阻止する位置に配設されている。
＜フィルタ係止機構＞
また、前壁４９は図１８に示したように前カバー５３でカバーされている。この前カバー５３と細塵フィルタ３９との間には図２７に示したフィルタ係止機構５４が設けられている（図２８，図２９参照）。このフィルタ係止機構５４は、上下に所定範囲でスライド可能に前カバー５３に保持されたロッド５５と、ロッド５５の下端の下方に位置させて前カバーに設けられたバネ受け突部５６と、ロッド５５の下端とバネ受け突部５６との間に介装されてロッド５５を上方にバネ付勢しているスプリング５７と、ロッド５５の下端部に突設された係合ピン５８を有する。
【００３３】
また、フィルタ係止機構５４は、板部５９ａ，５９ｂからＬ字状に形成されたリンク板５９と、板部５９ａ，５９ｂの連設部（リンク板５９の折曲部）を前カバー５３に回動自在に取り付けている支持軸６０を有する。そして、板部５９ａの端部には板部５９ａの延びる方向に延びる長孔６１が形成され、板部５９ｂの先端部には係止爪部６２が形成されている。そして、長孔６１には係合ピン５８が長孔６１の長手方向にのみ移動可能に挿入されている。
【００３４】
更に、フィルタ係止機構５４はフィルタ枠３９ａに突設された係止突起６３を有する。この係止突起６３は、係止爪部６２に対応させられている。そして、この係止爪部６２は、スプリング５７のバネ力で係止突起６３と係合して、メインフィルタ３８及び細塵フィルタ３９を上述したような閉成状態に保持させている。
【００３５】
しかも、ロッド５５の上端の押釦部５５ａをスプリング５７のバネ力に抗して押し下げると、リンク板５９が支持軸６０を中心に回動させられて、係止爪部６２が係止突起６３から離反し、メインフィルタ３８及び細塵フィルタ３９が自重によりヒンジ軸４２，４３を中心に回動して、集塵室３４の下端開口が開かれるようになっている。
＜容器係止機構＞
また、前カバ５３ーの左右方向上端部には、集塵容器本体３２を容器収納凹部５内に係止させる容器係止機構６４が図１８，図２８，図３０に示したように設けられている。この容器係止機構６４は、前カバー５３の上端部に所定範囲内で上下動可能に保持された係止爪６５と、係止爪６５を上方に付勢しているスプリング６６と、前カバー５３の上端部に設けた挿通孔５３ａから前側突出するロック解除ボタン６７を有する。また、前カバー５３には凹部５３ｂが形成され、この凹部５３ｂの上部前側には容器保持用の壁部５３ｃが形成されている。
【００３６】
しかも、本体ケース２の前ケース３には、容器収納凹部５の前側上端の上方に位置して、集塵容器本体３２が容器収納凹部５内に図１，図２のように挿入嵌合された状態で、係止爪６５を図３１に示したように係止（ロック）させる係止壁部６８が形成されている。
【００３７】
しかも、係止爪６５の下側部には図３２（ａ）〜図３２（ｃ）に示したように上向きの傾斜カム６５ａ，６５ａが形成され、ロック解除ボタン６７には下向きの傾斜カム６７ａ，６７ａが形成されている。この傾斜カム６５ａ，６７ａ同士は互いに係合していて、ロック解除ボタン６７を押し込むことにより、傾斜カム６７ａが傾斜カム６５ａをスプリング６６のバネ力に抗して押し下げ、係止爪６５を押し下げるようになっている。これにより、係止爪６５が前カバー５３の上部の係止壁部６８から外れるようになっている。
【００３８】
また、係止爪６５の上端部には後下方に傾斜する傾斜ガイド６９が設けられている。この傾斜ガイド６９は、集塵容器本体３２を容器収納凹部５内に挿入する際に、係止壁部６８の下端に係合して、集塵容器本体３２を挿入する力により係止爪６５をスプリング６６のバネ力に抗して下方に押し下げる力を発生させる。これにより、集塵容器本体３２を容器収納凹部５内に挿入する際には、係止爪６５が傾斜ガイド６９の作用により係止壁部６８の部分で押し下げられて、係止爪６５が係止壁部６８を乗り越えると、係止爪６５はスプリング６６のバネ力により上方に押し上げられて、係止壁部６８の後面に係止され、集塵容器本体３２を容器収納凹部５から抜け外れないようにしている。
[作用]
次に、このような構成の電気掃除機の作用を説明する。
【００３９】
このような構成において通常は、図６に示したように延長パイプ２７の小径パイプ２９の先端部をスキマノズル３０と共に本体ケース２のパイプ嵌合孔１７に嵌合した状態で使用する。この状態で、図示を省略した電源スイッチをＯＮさせて、電動送風機１１を作動させる。
【００４０】
この際、電動送風機１１の吸込負圧は、フィルタ９，細塵フィルタ３９及びメインフィルタ３８のネットフィルタ３８ｃを介して集塵容器３１の集塵室３４に作用する。そして、この吸込負圧は、ガイドパイプ４４，下吸込パイプ部１３，吸込口体１９の接続パイプ２１及び吸込風路２３等を介して、吸込口体１９の吸込室２２に作用する。
【００４１】
この状態で、手元操作パイプ２６のハンドル２６ａを掴んで、吸込口体１９を前後に移動操作することにより、清掃面の塵埃が吸込負圧により空気と共に吸込室３４に吸い込まれる。この吸い込まれた塵埃を含む空気は、吸込風路２３，接続パイプ２１，下吸込パイプ部１３を介してガイドパイプ４４に案内される。そして、このガイドパイプ４４内に案内された塵埃及び空気は、図２１に示したようにガイドパイプ４４の気流出口４７即ち、気流出口４７の先端出口４７ａ及び側部出口４７ｂから集塵室３４内に吹き出され（集塵室３４に吸い込まれ）て、矢印Ｂ１で示したようにネットフィルタ３８ｃに沿って流れる。
【００４２】
このように塵埃は、ネットフィルタ３８ｃに対して離れた位置から衝突することがなく、ネットフィルタ３８ｃに沿って集塵室３４の周方向に流れて、閉塞部５０の部分から順に溜まるようになる。従って、集塵室３４に吹き出される空気にガラス破片等の尖った塵埃や小石等の比較的大きい塵埃が含まれていても、この塵埃がネットフィルタ３８ｃを傷つけるようなことは未然に防止される。
【００４３】
また、前述したように、ガイドパイプ４４の流入パイプ部４５と前壁４９との間にはガイドパイプ４４を組み込むのに必要な隙間５０ａが形成されているが、この隙間５０ａは狭いので、この隙間５０ａに塵埃が溜まるような場合にはゴミ捨て時に隙間５０ａ内の塵埃を取り除くのは容易ではない。
【００４４】
しかし、閉塞部５０は隙間５０ａに対して集塵室３４に吹き出される塵埃Ｄの流れる方向の上流側に位置して、閉塞部５０の部分で隙間５０ａの方向への流れが阻止されるので、塵埃が隙間５０ａに溜まるようなことを回避できる。
【００４５】
さらに、塵埃Ｄは上述した閉塞部５０において徐々に圧縮されていく。このため、集塵室３４内に効率よく塵埃を溜めることができ、集塵室３４の容量を有効に活用することができる。
【００４６】
一方、気流出口４７から集塵室３４に吹き出される空気は、集塵室３４の周方向に流れるに従って徐々にネットフィルタ３８ｃを透過した後、細塵フィルタ３９を透過する。この際、空気に含まれる細塵が細塵フィルタ３９に捕集される。この細塵フィルタ３９を透過した空気は、フィルタ９を透過して電動送風機１１に吸い込まれる。この吸い込まれた空気は、電動送風機１１内を冷却した後、排出されて図示しない排気口から大気に排気される。
【００４７】
また、スキマノズル３０等を使用する場合には、小径パイプ２９をスキマノズル３０と一体にパイプ嵌合穴１７から抜き取る一方、吸込口体１９の接続パイプ２１を起立させて吸込風路２３と接続パイプ２１との連通をシャッター２４で遮断させることにより、スキマノズル３０を利用することができる。この際、掃除機本体１は把手２ａを掴んで持ち運び移動する。
【００４８】
このような清掃後に集塵室３４内の塵埃を捨てる場合には、先ず前カバー５３の凹部５３ｂ内に手を入れて、凹部５３ｂの上部前側の容器保持用の壁部５３ｃを保持する。
【００４９】
一方、ロック解除ボタン６７を押し込むことにより、ロック解除ボタン６７の傾斜カム６７ａで係止爪６５の傾斜カム６５ａをスプリング６６のバネ力に抗して押し下げ、係止爪６５を押し下げる。これにより、係止爪６５が前カバー５３の上部の係止壁部６８から外れる。この状態で、壁部５３ｃを掴んで集塵容器３１を前側に引き出すことにより、集塵容器３１を容器収納凹部５から取り外すことができる。
【００５０】
この後、壁部５３ｃを掴んだ状態で、ロッド５５の上端の押釦部５５ａをスプリング５７のバネ力に抗して押し下げると、リンク板５９が支持軸６０を中心に回動させられて、係止爪部６２が係止突起６３から離反し、メインフィルタ３８及び細塵フィルタ３９が自重によりヒンジ軸４２，４３を中心に回動して、集塵室３４の下端開口が開かれ、集塵室３４内の塵埃が下方に落下する。この際、細塵フィルタ３９に付着した細塵も落とすことができる。
【００５１】
また、集塵室３４の下端開口を閉じるには、メインフィルタ３８をヒンジ軸４２を中心に回動させて、メインフィルタ３８のフィルタ枠３８ａを下容器部３２ｂの両側の位置規制フランジ３２ｂ４，３２ｂ４間に係合させると共に、フィルタ枠３８ａの方形状の上端面が下容器部３２ｂの方形状の下端面に全周に渡って気密に当接させる。
【００５２】
また、細塵フィルタ３９をヒンジ軸４３を中心に回動させて、細塵フィルタ３９のプリーツフィルタ部３９ｂをメインフィルタ３８のフィルタ枠３８ａ内に嵌合させると共に、細塵フィルタ３９のフィルタ枠３９ａの方形状の上端面をフィルタ枠３８ａの方形状の下端面に全周に渡って気密に当接させる。
【００５３】
このようなメインフィルタ３８及び細塵フィルタ３９の回動は、プリーツフィルタ部３９ｂをメインフィルタ３８のフィルタ枠３８ａ内に嵌合させた状態で、同時に行っても良い。
【００５４】
そして、このような回動操作により、細塵フィルタ３９に設けた係止突起６３は、Ｌ字状のリンク板５９に設けた係止爪部６２のＲ状の外面をスプリング５７のバネ力に抗して押して、リンク板５９を支持軸６０を中心に回動させ、係止爪部６２の上部側に移動する。そして、係止突起６３は、係止爪部６２の上部側に移動すると、スプリング５７のバネ力によりリンク板５９が原状に復帰して、係止爪部６２に係合し、集塵室３４がメインフィルタ３８及び細塵フィルタ３９により閉成されることになる。
【００５５】
この後、集塵容器本体３２を容器収納凹部５内に取り付けるには、集塵容器本体３２を掃除機本体１の前側から容器収納凹部５内に挿入する。この際に、傾斜ガイド６９は、係止壁部６８の下端に係合して、集塵容器本体３２を挿入する力により係止爪６５をスプリング６６のバネ力に抗して下方に押し下げられて、係止爪６５が係止壁部６８を乗り越える。そして、係止爪６５が係止壁部６８を乗り越えると、係止爪６５はスプリング６６のバネ力により上方に押し上げられて、係止壁部６８の後面に係止され、集塵容器本体３２を容器収納凹部５から抜け外れないようになる。
【００５６】
以上説明したように、この発明の実施の形態の電気掃除機は、塵埃が含まれる空気を集塵容器本体３２の集塵室３４の一端側に流入させる流入口（流入筒部４５ａ）が設けられ、前記流入口から前記集塵室３４へ流入する空気の流入方向を設定するガイド風路４４ａが設けられていると共に、電動送風機１１の吸込開口１０に連通する空気排出口が前記集塵室３４の他端に設けられ、前記空気排出口にネットフィルタ３８ｃが設けられている。しかも、前記ガイド風路４４ａの前記集塵室３４への気流出口４７は、前記ネットフィルタ３８ｃに近接し且つ前記気流出口４７から吹き出される空気が前記ネットフィルタ３８ｃに沿う方向に流れるように向けられている。
【００５７】
この構成によれば、気流出口４７から集塵室３４内に吹き出される空気がネットフィルタ３８ｃに沿う方向に流れるので、集塵室３４に流入する空気にガラス片や小石或いは砂等の比較的大きな塵埃が含まれていても、この吹き出される塵埃はネットフィルタ３８ｃに突き刺さるような慣性力は小さく、塵埃がネットフィルタ３８ｃに損傷を与えるのを未然に防止できる。
【００５８】
また、この発明の実施の形態の電気掃除機において、前記ガイド風路４４ａは前記集塵室３４内に配設された気流ガイド部（ガイドパイプ４４）内に形成され、前記気流ガイド部（ガイドパイプ４４）は前記ネットフィルタ３８ｃと略垂直な方向に延びる流入パイプ部４５及び該流入パイプ部４５から前記ネットフィルタ３８ｃに沿う方向に折曲させられた気流出口パイプ部４６を備えている。しかも、前記気流出口パイプ部４６の外面は前記ネットフィルタ３８ｃに接触させられ、前記流入パイプ部４６の外面とこれに近接する前記集塵室３４の内周面（前壁４９の内面）との間の隙間５０ａへの流れを阻止する閉塞部５０が前記流入パイプ部４６の外面と前記集塵室３４の内周面（前壁４９の内面）との間に設けられている。
【００５９】
この構成によれば、ガイドパイプ４４の流入パイプ部４５と前壁４９との間にはガイドパイプ４４を組み込むのに必要な隙間５０ａが形成されているにもかかわらず、閉塞部５０は隙間５０ａに対して集塵室３４に吹き出される塵埃の流れる方向の上流側に位置して、閉塞部５０の部分で隙間５０ａの方向への塵埃の流れが阻止されるので、塵埃が隙間５０ａに溜まるようなことを回避できる。
【００６０】
さらに、塵埃Ｄは上述した閉塞部５０において徐々に圧縮されていく。このため、集塵室３４内に効率よく塵埃を溜めることができ、集塵室３４の容量を有効に活用することができる。このため、集塵容器３１を全体的に小型化することも可能となる。
【００６１】
更に、この発明の実施の形態の電気掃除機において、前記気流出口パイプ部４６は前記ネットフィルタ３８ｃの中央部に向けて折曲され、前記気流出口４７は前記気流出口パイプ部４６の先端に開口する先端出口４７ａ及び側面に開口する側部出口４７ｂを有し、前記気流出口パイプ部４６には前記側部出口４７ｂから前記ネットフィルタ３８ｃに対して離反する方向に傾斜する傾斜外面４８が設けられている。
【００６２】
この構成によれば、傾斜外面４８とネットフィルタ３８ｃとの間に空間が形成され、この空間に塵埃が溜まりにくいので、集塵室３４内が塵埃で満たされ始めても、ネットフィルタ３８ｃが完全に目詰まりすることはない。この結果、集塵室３４内が塵埃で満たされ始めても、傾斜外面４８とネットフィルタ３８ｃとの間に形成された空間の部分で電動送風機１１側への空気の流れが生じ、電動送風機１１に大きな負荷がかかるのを回避できる。
【００６３】
さらに、この傾斜外面４８を構成する傾斜下壁４６ｃがネットフィルタ３８ｃと対向する位置関係にあることから、釘などの鋭利な塵埃が流入口４６から流入し、その後流入パイプ部４５を通ってネットフィルタ３８ｃに向けて突入してきても、この傾斜下壁４６ｃにぶつかることによりネットフィルタ３８ｃの破損を防止できる。
【００６４】
なお、本実施の形態では、薄板状のフィルタとしてネットフィルタ３８ｃを採用して説明したが、薄板状のフィルタはこれに限るものではなく、全体として薄板状に形成されたフィルタを総称したものであって、このようなものであれば、例えばプリーツフィルタなどの他のフィルタを採用してもよい。
【００６５】
また、本実施の形態では、ガイドパイプ４４の流入筒部４５ａを集塵容器３１の取付孔３５に取り付けて流入口としたが、これに限るものではなく、集塵容器の入口と連通していればガイドパイプ４４の入口を集塵容器の入口と離間して設けてもよい。
【００６６】
さらに、本実施の形態では、ガイドパイプ４４を集塵容器３１に取り付ける構成としたが、これに限るものではなく、集塵容器３１とガイドパイプ４４を一体に成形してもよい。
【図面の簡単な説明】
【００６７】
【図１】この発明に係るアップライトタイプの電気掃除機の斜視図である。
【図２】図１に示した電気掃除機の側面図である。
【図３】図１の集塵容器を取り外した状態の電気掃除機の斜視図である。
【図４】図３の容器収納凹部の部分拡大図である。
【図５】図４の容器収納凹部の底部にフィルタを取り付けた説明図である。
【図６】図１の電気掃除機の縦断面図である。
【図７】（ａ）は図６部分拡大説明図、（ｂ）は容器収納凹部の概略説明図である。
【図８】図６の吸込口体の拡大説明図である。
【図９】図１の集塵容器を前斜め側から見た斜視図である。
【図１０】図９の集塵容器の左側面図である。
【図１１】図９の集塵容器の平面図である。
【図１２】図９の集塵容器の背面図である。
【図１３】図９の集塵容器の底面図である。
【図１４】図９の集塵容器の正面図である。
【図１５】図９の集塵容器の一部を省略して底面側から見た斜視図である。
【図１６】図１５の集塵容器の作用説明図である。
【図１７】図１５の集塵容器の作用説明図である。
【図１８】図９の集塵容器の縦断面図である。
【図１９】図９の集塵容器の一部を省略すると共に、一部を切り欠いて示した斜視図である。
【図２０】図９の集塵容器の一部を省略すると共に、一部を切り欠いて図１９とは別の角度から見て示した斜視図である。
【図２１】図９の集塵容器の作用説明図である。
【図２２】図１８のガイドパイプの斜視図である。
【図２３】図１８のガイドパイプを図１８とは別の角度から見た斜視図である。
【図２４】図１８のガイドパイプの正面図である。
【図２５】図１８のガイドパイプの右側面図である。
【図２６】図１８のガイドパイプの背面図である。
【図２７】図９に示した集塵容器のフィルタ係止機構の説明図である。
【図２８】図２７のフィルタ係止機構を背面側から見た説明図である。
【図２９】図２７のフィルタ係止機構の部分断面図である。
【図３０】図９の集塵容器の容器係止機構の説明図である。
【図３１】図３０の係止爪と本体ケースの係止壁部との関係を示す部分断面図である。
【図３２】（ａ）〜（ｃ）は容器係止機構の係止爪とロック解除ボタンとの関係を示す説明図である。
【符号の説明】
【００６８】
１・・・掃除機本体
１０・・・吸込開口
１１・・・電動送風機
３４・・・集塵室
３８ｃ・・・ネットフィルタ
４４・・・ガイドパイプ（気流ガイド部）
４４ａ・・・ガイド風路
４５・・・流入パイプ部
４５ａ・・・流入筒部（流入口）
４６・・・気流出口パイプ部
４７・・・気流出口
４７ａ・・・先端出口
４７ｂ・・・側部出口
４８・・・傾斜外面
４９・・・前壁
５０・・・閉塞部
５０ａ・・・隙間
【図１】
2008136670.tif 000003
【図２】
2008136670.tif 000004
【図３】
2008136670.tif 000005
【図４】
2008136670.tif 000006
【図５】
2008136670.tif 000007
【図６】
2008136670.tif 000008
【図７】
2008136670.tif 000009
【図８】
2008136670.tif 000010
【図９】
2008136670.tif 000011
【図１０】
2008136670.tif 000012
【図１１】
2008136670.tif 000013
【図１２】
2008136670.tif 000014
【図１３】
2008136670.tif 000015
【図１４】
2008136670.tif 000016
【図１５】
2008136670.tif 000017
【図１６】
2008136670.tif 000018
【図１７】
2008136670.tif 000019
【図１８】
2008136670.tif 000020
【図１９】
2008136670.tif 000021
【図２０】
2008136670.tif 000022
【図２１】
2008136670.tif 000023
【図２２】
2008136670.tif 000024
【図２３】
2008136670.tif 000025
【図２４】
2008136670.tif 000026
【図２５】
2008136670.tif 000027
【図２６】
2008136670.tif 000028
【図２７】
2008136670.tif 000029
【図２８】
2008136670.tif 000030
【図２９】
2008136670.tif 000031
【図３０】
2008136670.tif 000032
【図３１】
2008136670.tif 000033
【図３２】
2008136670.tif 000034